(57)【特許請求の範囲】
【請求項１】
他の機器と通信するための通信線が接続されるベース筐体と、映像表示部、音声を鳴らすスピーカ、操作ボタン部、及び前記映像表示部と前記スピーカと前記操作ボタン部とを駆動させる回路を有するプリント基板が収容されるカバー筐体と、を備え、前記ベース筐体の前面に前記カバー筐体を固定して成るインターホンにおいて、
前記カバー筐体の上下いずれか一方が前記ベース筐体の上下いずれか一方に係止され、前記カバー筐体には前記係止される側と反対側にネジ用の貫通孔が形成され、
前記スピーカは、前記カバー筐体が前記ベース筐体に係止された側と近い側に配置されることを特徴とするインターホン。
【請求項２】
前記カバー筐体の背面側の周縁に形成された枠部の内側面は、前記ベース筐体の正面側の周縁に形成された枠部の外側面に密着することを特徴とする請求項１記載のインターホン。
【請求項３】
前記スピーカが、前記カバー筐体の上側に配置される場合、前記スピーカの上側及び左右側に前記カバー筐体の枠部、下側に前記映像表示部の上面、後側に前記プリント基板が配置されることを特徴とする請求項２記載のインターホン。
【請求項４】
前記映像表示部は、前記カバー筐体の略中央に配置されることを特徴とする請求項１乃至請求項３のいずれか一項に記載のインターホン。
【請求項５】
複数の前記操作ボタン部は、前記カバー筐体の右側又は左側に並んで配置され、
前記スピーカは、前記操作ボタン部の配置と反対側の前記カバー筐体の左側又は右側に配置されることを特徴とする請求項１乃至請求項４のいずれか一項に記載のインターホン。
【請求項６】
前記プリント基板の縦横方向の幅は、前記カバー筐体の縦横方向の幅と略同じであることを特徴とする請求項１乃至請求項５のいずれか一項に記載のインターホン。
【請求項７】
前記プリント基板には、機器からの情報を表示する表示部が設けられ、
前記カバー筐体には、前記プリント基板に設けられた前記表示部と対応する位置に、底面において前記プリント基板の表面と密着する穴部が形成されることを特徴とする請求項１乃至請求項６のいずれか一項に記載のインターホン。
【請求項８】
前記カバー筐体には、前記操作ボタン部を配置する位置にボタン穴が形成され、
前記操作ボタン部が押下されていない状態において、前記ボタン穴の内側面と前記操作ボタン部の外側面とが密着することを特徴とする請求項１乃至請求項７のいずれか一項に記載のインターホン。
【発明の詳細な説明】
【技術分野】
【０００１】
本発明は、室内の壁に取り付けて使用されるインターホンに関する。
【背景技術】
【０００２】
従来から、図７に示すように壁に埋め込んで使用されるインターホン７が知られている（例えば、特許文献１参照）。このインターホン７は、各種の操作ボタン部７１、液晶表示部７２、スピーカ７３やプリント基板等が収容されたカバー筐体７aと、通信線や電源が収容され壁面に埋め込まれ固定されるベース筐体７ｃとから成り、カバー筐体７ａの四隅に設けられたネジ用の貫通孔を介してベース筐体７ｃにネジ止めして固定されている。
【先行技術文献】
【特許文献】
【０００３】
【特許文献１】特開２００３−６９６８１号公報
【発明の概要】
【発明が解決しようとする課題】
【０００４】
しかしながら、図７に示すような従来型のインターホン７では、スピーカ７３の周辺にインターホン７を壁面に取り付けるためのネジ穴７４や、ネジ隠し用カバー７ｂや各種の操作ボタン７１を固定するためのネジ穴や切り欠き７４等が多数形成されている。このため、従来のインターホン７では、スピーカ７３を固定される部材とそれらカバーやボタンとの間に多くの隙間が生じることが避けられず、これらの隙間から周囲に音が漏れ拡がって、スピーカ７３において良好な音響性能が得られないという問題がある。
【０００５】
本発明は、上記課題に鑑みてなされたものであり、音漏れをできるだけ防止してスピーカの音響性能を向上させたインターホンを提供することを目的とする。
【課題を解決するための手段】
【０００６】
上記目的を達成するために本発明は、他の機器と通信するための通信線が接続されるベース筐体と、映像表示部、音声を鳴らすスピーカ、操作ボタン部、及び前記映像表示部と前記スピーカと前記操作ボタン部とを駆動させる回路を有するプリント基板が収容されるカバー筐体と、を備え、前記ベース筐体の前面に前記カバー筐体を固定して成るインターホンにおいて、前記カバー筐体の上下いずれか一方が前記ベース筐体の上下いずれか一方に係止され、前記カバー筐体には前記係止される側と反対側にネジ用の貫通孔が形成され、前記スピーカは、前記カバー筐体が前記ベース筐体に係止された側と近い側に配置されることを特徴とする。
【０００７】
また、本発明に係るインターホンの前記カバー筐体の背面側の周縁に形成された枠部の内側面は、前記ベース筐体の正面側の周縁に形成された枠部の外側面に密着することが好ましい。
【０００８】
また、本発明に係るインターホンの前記スピーカが、前記カバー筐体の上側に配置される場合、前記スピーカの上側及び左右側に前記カバー筐体の枠部、下側に前記映像表示部の上面、後側に前記プリント基板が配置されることが好ましい。
【０００９】
また、本発明に係るインターホンの前記映像表示部は、前記カバー筐体の略中央に配置されることが好ましい。
【００１０】
また、本発明に係るインターホンの複数の前記操作ボタン部は、前記カバー筐体の右側又は左側に並んで配置され、前記スピーカは、前記操作ボタン部の配置と反対側の前記カバー筐体の左側又は右側に配置されることが好ましい。
【００１１】
また、本発明に係るインターホンの前記プリント基板の縦横方向の幅は、前記カバー筐体の縦横方向の幅と略同じであることが好ましい。
【００１２】
また、本発明に係るインターホンの前記プリント基板には、機器からの情報を表示する表示部が設けられ、前記プリント基板に設けられた前記表示部と対応する位置に、底面において前記プリント基板の表面と密着する穴部が形成されることが好ましい。
【００１３】
また、本発明に係るインターホンの前記カバー筐体には、前記操作ボタン部を配置する位置にボタン穴が形成され、前記操作ボタン部が押下されていない状態において、前記ボタン穴の内側面と前記操作ボタン部の外側面とが密着することが好ましい。
【発明の効果】
【００１４】
本発明に係るインターホンでは、カバー筐体の上側がベース筐体の上側に係止され、カバー筐体には係止される側と反対側にネジ用の貫通孔が形成され、スピーカは、カバー筐体がベース筐体に係止された側と近い側に配置されるので、スピーカ近傍の空間の密閉性が向上して、音漏れを効果的に防止し、スピーカの音響性能を向上させることができる。
【図面の簡単な説明】
【００１５】
【図１】（ａ）本発明の実施の形態に係るインターホンの斜視図、（ｂ）同インターホンのカバー筐体を分解した斜視図、（ｃ）同インターホンのカバー筐体とベース筐体との分解斜視図。
【図２】実施の形態に係るインターホンを用いたインターホンシステムの構成図。
【図３】（ａ）実施の形態に係るインターホンのスピーカ周辺の断面図、（ｂ）映像表示部の一部断面図、（ｃ）同インターホンの斜視図。
【図４】実施の形態に係るインターホンのスピーカ背面の空間の説明図。
【図５】（ａ）実施の形態に係るインターホンの斜視図、（ｂ）同インターホンの解錠ボタン部の断面図、（ｃ）同インターホンの操作ボタン部の断面図、（ｄ）同インターホンのＬＥＤ部分の拡大図、（ｅ）同インターホンのＬＥＤ部分の断面図。
【図６】実施の形態に係るインターホンのスピーカにおける音響性能の説明図。
【図７】（ａ）従来のインターホンの斜視図、（ｂ）同インターホンのネジ隠し用カバーを取り外した状態の斜視図、（ｃ）同インターホンのカバー筐体とベース筐体との分解斜視図。
【発明を実施するための形態】
【００１６】
本発明の実施の形態に係るインターホンについて図面を参照して説明する。
（実施の形態）
【００１７】
図１に示すように、本実施の形態に係るインターホン１は、スピーカ１１、操作ボタン部１２、映像表示部１３、これらスピーカ１１と操作ボタン部１２と映像表示部１３とを駆動させる駆動回路を有するプリント基板等が収容されるカバー筐体１ａと、他の機器から接続された複数の通信線や電源が収容されたベース筐体１ｂと、を備える。
【００１８】
スピーカ１１は、子器を介して来訪者が発した音声を住人に伝えるものであり、電気信号に従い音声を発生させる。なお、スピーカ１１は、音声のみでなく警告音等も発する場合がある。
【００１９】
操作ボタン部１２は、例えば「解錠」、「メニュー」、「再生」、「留守」等の複数種のボタンから構成され、住人は映像表示部１３の表示に応じて操作ボタン部１２を押して要求する制御を行う。例えば、非常ボタン１２ａは、火事や事故などの万一のトラブル発生時に押され、住戸内や管理室に警報音で異常発生を知らせる。解錠ボタンは、来客応対時に点滅し、オートロックや住戸玄関電気錠を解錠するために用いられる。また、例えば、住人が来訪者の声を聞きとりにくい場合には操作ボタン部１２の音量ボタンを用いて通話中に受話音量を上げて聞きとり易くできる。
【００２０】
映像表示部１３は、玄関の子器に備えられたカメラに写された来訪者を映すカラー液晶モニタ等である。住人は、映像表示部１３に表示されている画像に基づいて来訪者を確認する。なお、映像表示部１３は、玄関にいる来訪者を映す以外に、住宅用火災警報器からの信号を受けて火災警報表示等することも可能である。
【００２１】
ベース筐体１ｂには、側壁の開口から導入される電線に結線される端子が内装されると共に、他の子器から接続される通信線が複数接続されている。
【００２２】
カバー筐体１ａは、正面視で略長方形状であり、背面側の周縁に枠部が形成されている。また、ベース筐体１ｂは正面視で略長方形状であり、正面側の周縁に枠部が形成されている。そして、図１（ｃ）に示すように、カバー筐体１ａの上枠部には、ベース筐体１ｂの上枠部に設けられた２箇所の係止部１ｄと係合する係止部１ｃが２箇所形成されていることを特徴とする。
【００２３】
カバー筐体１ａの係止部１ｃの反対側である下側には、ベース筐体１ｂに形成されたネジ穴１４ｂに対応する箇所に、ネジ用の貫通孔１４ａが形成されている。また、スピーカ１１は、カバー筐体１ａに形成される係止部１ｃに近い側に配置されている。
【００２４】
そして、インターホン１を壁に施工する場合には、ベース筐体１ｂを壁面に埋設させて固定した後、このベース筐体１ｂの上枠部に形成された係止部１ｄに、カバー筐体１ａの背面側の上枠部に形成された係止部１ｃを係止してベース筐体１ｂの表面側にカバー筐体１ａを仮固着する。
【００２５】
次に、カバー筐体１ａの下側に形成された貫通孔１４ａを通してベース筐体１ｂの下側に形成されているネジ穴１４ｂにネジ等の止め具を貫通させドライバー等でこれを締め付けて、ベース筐体１ｂにカバー筐体１ａを固着する。これにより、住人の生活動線を妨げないフラットでスリムなインターホン１を壁面に設置できる。
【００２６】
また、図１（ｂ）に示すように、映像表示部１３は正面視でカバー筐体１ａの略中央に配置される。この構成により、映像表示部１３を中心に、カバー筐体１ａを上下方向に分割でき、スピーカ１１をカバー筐体１ａの上側に配置し易くして音響性能を向上させている。
【００２７】
また、図１（ａ）に示すように、操作ボタン部１２は、カバー筐体１ａの右側に並べて配置される。この構成により、操作時にユーザの手が左右に動いて映像表示部１３を遮ることを防止して操作性を向上できる。また、操作ボタン部１２を右側にのみ配置することにより、カバー筐体１ａの左側は操作ボタン部１２の固定に必要な穴やスキマを設ける必要がなくなるので、スピーカ１１の近傍の空間の密閉性を向上させて音響性能を向上できる。
【００２８】
図２に示すように、インターホン１は、マンション玄関ロビーや住戸玄関に設置されるカメラ付ドアホン子器２と通信線２２を用いて接続される。
【００２９】
そして、来訪者はドアホン子器２のボタンを押して住人を呼び出す。このドアホン子器２には高感度ＣＣＤ等の撮像素子を用いたカメラ２１が備えられ、住人は、カメラ２１で撮像された来訪者をインターホン１の映像表示部１３で確認しながらスピーカ１１を介して通話を行い、解錠ボタンを押して玄関ロビーや玄関の解錠を行う。
【００３０】
そして、図３（ａ）に示すように、インターホン１では、カバー筐体１ａの背面側の周縁に設けられる枠部１ｅの内側面、及びベース筐体１ｂの表面側の周縁に設けられる枠部１ｆの外側面が密着して密閉性向上を図っている。
【００３１】
また、図３（ｂ）及び（ｃ）に示すように、映像表示部１３の表示面側の周縁にパッキン１３ａを挟むことでカバー筐体１ａと映像表示部１３との密閉性をより高めて音響性能の向上を図っている。
【００３２】
さらに、図４に示すように、スピーカ１１の背面にはプリント基板１４、上側及び左右側にはカバー筐体１ａの枠部、下側には映像表示部１３の上面が配置され、スピーカ１１の後ろの空間を密閉する構造としている。
【００３３】
プリント基板１４は、カバー筐体１ａの背面側からネジで固定して配置され、カバー筐体１ａとベース筐体１ｂとの空間を分離させている。この構成により、スピーカ１１背面側の空間の密閉性を向上させて、ネジ穴や切り欠き、ベース筐体１ｂに設けられた放熱口や通信線などの入線口からスピーカ１１の音が漏れるのを抑制し、音響性能を向上できる。なお、プリント基板１４の縦横方向の大きさはカバー筐体１ａの縦横方向の大きさに近いほど音響効果が得られる。
【００３４】
次に、図５（ａ）から（ｃ）に示すように、カバー筐体１ａの操作ボタン部１２に対応する位置には穴部１５が形成され、操作ボタン部１２が押下されていない状態において、この穴部１５の内側面と、操作ボタン部１２の外側面とが密着する。この構成により、スピーカ１１背面側の空間の密閉性を高めて、音が漏れるのを抑制して音響性能を向上させている。
【００３５】
さらに、図５（ａ）に示すように、プリント基板１４には、カバー筐体１ａの映像表示部１３の下方に設けられた「火災、ガス、留守、警戒、戸締り」等の表示に対応する位置に複数のＬＥＤ１６が配置されている。そして、図５（ｄ）及び（ｅ）に示すように、カバー筐体１ａのプリント基板１４上のＬＥＤ１６に対応する位置に穴部１７が形成され、この穴部１７の底面とプリント基板１４の表面とが密着する。この構成により、プリント基板１４に設けられたＬＥＤ１６の周囲とカバー筐体１ａとを密着させてスピーカ１１周辺の密閉性を向上させ、音響性能を向上させている。
【００３６】
図６のグラフの横軸はスピーカ１１から発する音声の周波数、縦軸がスピーカ１１から発せられる音の音圧を示し、本実施の形態に係るインターホン１の音響性能（曲線６０）は、全周波数帯域で従来の音響性能（曲線６１）より音圧特性が向上していることが分かる。
【００３７】
特に、本実施の形態１に係るインターホン１の音響特性（曲線６０）では、曲線６１に示すような音声通話にとって重要な横軸中央付近の周波数特性の谷を軽減することができ、周波数特性が平坦化されてスピーカ１１から聞こえる音声のこもり感やスカスカ感が解消され、スピーカ１１の高音質化が実現できていることが分かる。
【００３８】
以上の説明のように、本実施の形態にかかるインターホン１では、カバー筐体１ａの上側がベース筐体１ｂの上側に係止され、カバー筐体１ａには係止される側と反対側にネジ用の貫通孔１４ａが形成され、スピーカ１１は、カバー筐体１ａがベース筐体１ｂに係止された側と近い側に配置される。この構成により、スピーカ１１の近傍にはネジ穴や切り欠きを設ける必要がなく、スピーカ１１の周囲の空間に形成される隙間を少なくして、音が漏れることを防止してスピーカ１１の音響性能を向上できる。
【００３９】
なお、本発明は、上記実施の形態の構成に限られず、発明の趣旨を変更しない範囲で種々の変形が可能である。例えば、インターホンのカバー筐体の係止部を下側に設けスピーカを下側に配置し、ネジ用の貫通孔を上側に設けることも考えられ、操作ボタン部を左側に並べて配置することも考え得る。また、インターホンは、本図の構成のものに限られず、電気回路部品等がベース筐体に収容されたものなど、インターホン機能を有する機器全般を含む。
【符号の説明】
【００４０】
１  インターホン
１ａ  カバー筐体
１ｂ  ベース筐体
１ｃ，１ｄ  係止部
１ｅ，１ｆ  枠部
２  ドアホン子器
１１  スピーカ
１２  操作ボタン部
１３  映像表示部
１４  プリント基板
１４ａ  貫通孔
１４ｂ  ネジ穴
１５，１７  穴部
１６  ＬＥＤ
【図１】
0005433491.tif 000002
【図２】
0005433491.tif 000003
【図３】
0005433491.tif 000004
【図４】
0005433491.tif 000005
【図５】
0005433491.tif 000006
【図６】
0005433491.tif 000007
【図７】
0005433491.tif 000008